(57)【要約】【課題】故人の関係者や法要の参列者の満足感を向上させることが可能な納骨堂を提供する。【解決手段】納骨堂１０は、骨壺を収納可能な厨子５０を複数保管するための保管室２０と、遺骨を納骨するための法要、又は、故人を供養するための法要を執り行うための法要室３０とを備える。保管室２０と法要室３０は、壁４０を隔てて隣接しており、壁４０には、保管室と法要室とを連通する開口部を開閉するための扉４１が設けられる。壁４０の法要室側と保管室側には、それぞれ、法要室側厨子台３３と保管室側厨子台２３とが設けられ、それぞれの上面は滑らかに連続している。厨子５０を載置して法要室側厨子台３３と保管室側厨子台２３との間で移動させるための台車４２が設けられ、法要の際に、厨子５０は台車４２に載置された状態で法要室側厨子台３３に安置される。【選択図】図１
2019049158.tif 000002
【特許請求の範囲】
【請求項１】
納骨堂であって、
骨壺又は骨袋を収納可能な厨子を複数保管するための保管室と、
遺骨が収納された厨子を前記納骨堂に納骨するための法要、又は、前記納骨堂に遺骨が納骨されている故人を供養するための法要を執り行うための法要室と、
を備え、
前記保管室と前記法要室は、壁を隔てて隣接しており、
前記壁には、前記保管室と前記法要室とを連通する開口部と、前記開口部を開閉するための扉が設けられ、
前記法要室には、前記壁の前記法要室側に、前記法要の際に前記厨子を安置するための法要室側厨子台が設けられ、
前記保管室には、
複数の前記厨子を収納するための収納棚と、
前記収納棚から前記法要室に移動される厨子、又は、前記法要室から前記収納棚に移動される厨子を一時的に載置するための保管室側厨子台と、
が設けられ、
前記法要室側厨子台の上面と前記保管室側厨子台の上面とは滑らかに連続しており、
前記厨子を載置して前記法要室側厨子台と前記保管室側厨子台との間で移動させるための台車が設けられ、
前記法要の際に、前記厨子は前記台車に載置された状態で前記法要室側厨子台に安置される
ことを特徴とする納骨堂。
【請求項２】
前記台車の下面にはキャスターが設けられ、
前記保管室側厨子台及び前記法要室側厨子台の上面には前記キャスターが摺動可能な溝が設けられる
ことを特徴とする請求項１に記載の納骨堂。
【請求項３】
前記壁には、
前記扉を懸架する懸架機構と、
前記懸架機構を摺動させる摺動機構と、
が設けられることを特徴とする請求項１又は２に記載の納骨堂。
【請求項４】
前記法要室には、前記法要室側厨子台の内側にカウンターが設けられ、前記カウンターのうち少なくとも中央付近の前記厨子が安置される位置の前の部分は、伸縮又は折り畳み可能であることを特徴とする請求項１から３のいずれかに記載の納骨堂。
【発明の詳細な説明】
【技術分野】
【０００１】
本発明は、納骨された遺骨を保管するための納骨堂に関する。
【背景技術】
【０００２】
古来、故人の遺体又は遺骨は墓所に埋葬されてきたが、近年、墓所を確保することが困難である人や、墓所を管理することが困難である人などのために、遺骨を納骨堂で保管するサービスが提供されている（例えば、特許文献１参照）。
【先行技術文献】
【特許文献】
【０００３】
【特許文献１】特開平９−５１８４７号公報
【発明の概要】
【発明が解決しようとする課題】
【０００４】
特許文献１に記載された立体祭壇装置は、骨壺を収容する容器を多数収納する収納棚の各棚の間に分岐通路を形成するとともに、各分岐通路に連絡する連絡通路を形成し、搬送装置で以て収納棚の特定の室と容器を祭事用に載置する展示室の間に亘って戒名や俗名を記した容器を往復移動させる。
【０００５】
この立体祭壇装置では、骨壺を収容した容器が搬送装置により展示室に搬送されるので、故人の遺骨が機械的に取り扱われることに違和感を覚えたり、温かみのない供養の方法であるように感じたりする人もいる。
【０００６】
本発明はこうした状況に鑑みてなされたものであり、その目的は、故人の関係者や法要の参列者の満足感を向上させることが可能な納骨堂を提供することにある。
【課題を解決するための手段】
【０００７】
上記課題を解決するために、本発明のある態様の納骨堂は、納骨堂であって、骨壺又は骨袋を収納可能な厨子を複数保管するための保管室と、遺骨が収納された厨子を納骨堂に納骨するための法要、又は、納骨堂に遺骨が納骨されている故人を供養するための法要を執り行うための法要室と、を備える。保管室と法要室は、壁を隔てて隣接しており、壁には、保管室と法要室とを連通する開口部と、開口部を開閉するための扉が設けられ、法要室には、壁の法要室側に、法要の際に厨子を安置するための法要室側厨子台が設けられ、保管室には、複数の厨子を収納するための収納棚と、収納棚から法要室に移動される厨子、又は、法要室から収納棚に移動される厨子を一時的に載置するための保管室側厨子台と、が設けられ、法要室側厨子台の上面と保管室側厨子台の上面とは滑らかに連続しており、厨子を載置して法要室側厨子台と保管室側厨子台との間で移動させるための台車が設けられ、法要の際に、厨子は台車に載置された状態で法要室側厨子台に安置される。
【０００８】
なお、以上の構成要素の任意の組合せ、本発明の表現を方法、装置、システムなどの間で変換したものもまた、本発明の態様として有効である。
【発明の効果】
【０００９】
本発明によれば、故人の関係者や法要の参列者の満足感を向上させることが可能な納骨堂を提供することができる。
【図面の簡単な説明】
【００１０】
【図１】実施の形態に係る納骨堂の平面図である。
【図２】法要室の内部を示す図である。
【図３】厨子の外観を示す図である。
【図４】法要室の平面図である。
【図５】図４の扉部分の詳細図である。
【図６】図４のＡ−Ａ断面図である。
【図７】図４のＢ−Ｂ断面図である。
【図８】図７のカウンター部分の詳細図である。
【図９】図７の扉部分の詳細図である。
【図１０】図９の台車部分の詳細図である。
【図１１】図７の照明ボックス部分の詳細図である。
【図１２】法要室の正面の外観を示す図である。
【図１３】保管室側厨子台及び法要室側厨子台の平面図である。
【図１４】扉の詳細を示す三面図である。
【図１５】納骨堂に併設された参拝堂の平面図である。
【図１６】参拝室の正面の外観を示す図である。
【図１７】参拝ブースの外観を示す図である。
【図１８】参拝ブースのモニターに表示される画面の例を示す図である。
【発明を実施するための形態】
【００１１】
図１は、実施の形態に係る納骨堂の平面図である。納骨堂１０は、骨壺又は骨袋を収納可能な厨子を複数保管するための保管室２０と、遺骨が収納された厨子を納骨堂１０に納骨するための法要、又は、納骨堂１０に遺骨が納骨されている故人を供養するための法要を執り行うための複数の法要室３０ａ、３０ｂ、３０ｃ、３０ｄと、法要の参列者が法要室３０ａ、３０ｂ、３０ｃ、３０ｄに出入りするための廊下３７とを備える。
【００１２】
保管室２０とそれぞれの法要室３０は、壁４０を隔てて隣接している。壁４０には、保管室２０と法要室３０とをそれぞれ連通する開口部を開閉するための扉４１が設けられる。
【００１３】
それぞれの法要室３０には、法要の参列者が廊下３７から法要室３０に出入りするための出入口３１と、参列者が着席する座席３２と、壁４０の法要室３０側に設けられ、法要の際に厨子５０を安置するための法要室側厨子台３３と、法要室側厨子台３３の内側に設けられたカウンター３４と、焼香台３５とが設けられる。
【００１４】
保管室２０には、複数の厨子５０を収納するための可動型の収納棚２１と、複数の収納棚２１を摺動可能とするためのレール２２と、それぞれの法要室３０で執り行われる法要のために収納棚２１から法要室３０に移動される厨子５０、又は、法要を終えてそれぞれの法要室３０から収納棚２１に収納するために移動される厨子５０を一時的に載置するための保管室側厨子台２３とが設けられる。
【００１５】
扉４１を挟んで対向する位置に設けられた法要室側厨子台３３の上面と保管室側厨子台２３の上面とは、同じ高さに設けられ、かつ、滑らかに連続しており、厨子５０を載置して法要室側厨子台３３と保管室側厨子台２３との間で移動させるための台車４２が設けられる。台車４２の底面にはキャスターが設けられており、法要室側厨子台３３の上面と保管室側厨子台２３の上面に設けられた溝４３に沿ってキャスターを摺動させることにより、台車４２が移動される。法要室３０で法要が執り行われる際に、厨子５０は台車４２に載置された状態で法要室側厨子台３３に安置される。
【００１６】
台車４２、法要室側厨子台３３の上面、及び保管室側厨子台２３の上面は、御影石（花崗岩）により形成される。また、後述するように、厨子５０の銘板も御影石により形成される。墓石に多く使用される御影石により、厨子５０が載置される台車４２、厨子５０を安置するための法要室側厨子台３３及び保管室側厨子台２３の上面、及び、厨子５０の銘板を形成することにより、高級で荘厳な印象を参列者に与えることができるとともに、屋内の法要室でありながら墓所を参拝しているような印象を参列者に与えることができる。
【００１７】
遺骨が収納された厨子を納骨堂１０に納骨するための法要の際には、まず、カウンター３４の上に置かれた厨子５０の中に、参列者が持参した骨壺、骨袋、遺品などが納められる。法要の担当者が厨子５０の蓋を閉じた後、法要室側厨子台３３の上に移動されている台車４２の上に厨子５０を静置する。つづいて、僧侶が納骨経を上げ、参列者が焼香する。その後、担当者が扉４１を開け、厨子５０を台車４２ごと扉４１の奥へ押し込んで、扉４１を閉める。
【００１８】
厨子５０を扉４１の奥へ押し込む動作は、参列者に行わせてもよい。参列者が厨子５０を押し込む際に、厨子５０により近づくことができるようにするために、カウンター３４のうち、扉４１が設けられた中央付近の天板が折り畳み可能に設けられる。担当者は、扉４１を開け、カウンター３４の天板を折り畳んだ後、参列者に厨子５０を扉４１の奥へ押し込むよう促す。参列者が厨子５０を台車４２ごと扉４１の奥へ押し込むと、担当者は扉４１を閉じ、カウンター３４を元に戻す。
【００１９】
担当者又は参列者により扉４１の奥へ押し込まれた台車４２は、保管室側厨子台２３の上に移動されている。担当者は、台車４２から厨子５０を持ち上げ、その厨子５０が割り当てられている収納棚２１に厨子５０を運んで収納する。必要に応じて、図示しない台車や昇降機などが使用されてもよい。また、保管室２０が複数の階にわたって設けられる場合は、法要室３０が設けられた階とは異なる階の保管室２０と法要室３０との間で厨子を運ぶためのエレベーターが設けられてもよい。
【００２０】
納骨堂１０に遺骨が納骨されている故人を供養するための法要の際には、法要の担当者は、法要が執り行われる前に、厨子５０を収納棚２１から取り出して、保管室側厨子台２３の上に移動されている台車４２の上に静置しておく。参列者が着席すると、担当者は、扉４１を開け、台車４２を手前に引いて法要室側厨子台３３に移動させ、扉４１を閉める。つづいて、僧侶が読経し、参列者が焼香する。その後、法要を終了してもよいし、納骨法要と同様に、参列者の前で担当者又は参列者が厨子５０を扉４１の奥へ押し込んで納骨してもよい。なお、参列者を法要室３０に入れる前に、厨子５０を載置した台車４２を法要室側厨子台３３の上に移動させておいてもよい。
【００２１】
このように、本実施の形態に係る納骨堂１０においては、担当者が自らの手で厨子５０を運ぶので、故人の遺骨を大切に取り扱うことができ、故人の関係者や参列者の満足感や安心感を高めることができる。また、荘厳で、かつ、温かみのある法要を執り行うことができ、故人の関係者や参列者の満足感を高めることができる。
【００２２】
図２は、法要室の内部を示す。法要室３０には、座席３２と、法要室側厨子台３３と、カウンター３４と、扉４１が設けられる。カウンター３４の天板は、法要室側厨子台３３よりも低い位置に設けられている。本図では、仏教に則った法要を執り行うための法要室の内装を示しているが、前飾りを変更することにより、仏教に限らず、神道の「玉串奉奠」、キリスト教の「献花」など、様々な儀礼に対応できる。
【００２３】
図３は、厨子の外観を示す。厨子５０は、遺骨を保管するための直方体の箱であり、７寸の骨壷を２体収納することが可能である。専用の納骨袋に遺骨を収納すれば、３体以上の遺骨を収納することが可能である。厨子５０の前面には銘板５１が設けられる。銘板５１は、御影石により形成され、家名、家紋などが刻まれる。これにより、厨子５０を開かなくても収納された遺骨が誰のものであるかを容易に特定することができ、厨子５０を移動させている間に取り違えることを防ぐことができる。また、厨子５０を安置するための台車４２及び法要室側厨子台３３の上面が御影石により形成されることと相俟って、法要室側厨子台３３及び台車４２の上に安置された厨子５０を墓石のような外観とすることができるので、屋内の法要室でありながら墓所を参拝しているような印象を参列者に与えることができる。
【００２４】
図４は、法要室の平面図であり、図５は、図４の扉部分の詳細図であり、図６は、図４のＡ−Ａ断面図であり、図７は、図４のＢ−Ｂ断面図であり、図８は、図７のカウンター部分の詳細図であり、図９は、図７の扉部分の詳細図であり、図１０は、図９の台車部分の詳細図であり、図１１は、図７の照明ボックス部分の詳細図であり、図１２は、法要室の正面の外観を示す図であり、図１３は、保管室側厨子台２３及び法要室側厨子台３３の平面図であり、図１４は、扉の詳細を示す三面図である。
【００２５】
図７及び図８に示すように、カウンター３４の天板は、少なくとも中央付近の厨子５０が安置される位置の前の部分において、折り畳み機構３６により直角に折り畳めるようになっている。これにより、台車４２を移動させる際に、台車４２により近づくことができるので、担当者や参列者が容易に台車４２を移動させることができる。カウンター３４の天板は、伸縮可能であってもよいし、法要室側厨子台３３の下に押し込めるようになっていてもよい。
【００２６】
図９及び図１０に示すように、台車４２の下面にはキャスター４４が取り付けられており、図１１に示すように、保管室側厨子台２３及び法要室側厨子台３３の上面にはキャスター４４が摺動可能な溝４３が設けられている。これにより、多くの遺骨や遺品などが厨子５０に収納されて厨子５０の重量が相当重くなったとしても、担当者や参列者が容易に台車４２を移動させることができる。また、台車４２が真っ直ぐ移動せずに扉４１に当たったりすることを防ぐことができ、法要を粛々と進めることができる。
【００２７】
図９及び図１４に示すように、扉４１は、懸架機構４５により懸架され、懸架機構４５が摺動機構４６により摺動することによって開閉される。これにより、扉４１と溝４３とが干渉しないような構造とすることができるので、溝４３が形成された保管室側厨子台２３及び法要室側厨子台３３の上で扉４１を滑らかに開閉させることができる。また、溝４３を連続的に形成することができるので、台車４２を滑らかに移動させることができる。
【００２８】
図１５は、納骨堂に併設された参拝堂の平面図である。参拝堂６０は、参列者が参拝するための参拝室７０と、合祀墓に遺骨を合祀するための法要を執り行うための合祀法要室８０とを供える。
【００２９】
参拝室７０は、仏塔（パゴダ）形式の荘厳な堂であり、ご本尊７１及び複数の参拝ブース７２ａ、７２ｂ、７２ｃが設けられる。それぞれの参拝ブース７２は、故人の写真や戒名などをモニターの画面に表示することができるように構成されている。参拝者は、参拝ブース７２において、故人の思い出の写真などを見ながら、焼香し、参拝することができる。参拝ブース７２の下面にはキャスターが設けられる。これにより、参拝ブース７２を自由に移動させることができ、お彼岸など参拝者が多い時節には、参拝ブース７２の設置台数を変更することができる。
【００３０】
図１６は、参拝室７０の正面の外観を示す。参拝室７０の正面には、ご本尊７１が安置されており、壁には浄土の絵が描かれている。これにより、参拝者は、荘厳な雰囲気の中で故人を偲び、参拝することができる。参拝室７０の側面の壁には、納骨堂１０に遺骨が納骨された故人や、後述する合祀墓に遺骨が合祀された故人の俗名を記した銘板が掲示される。これにより、参列者は故人の俗名を確認し、納骨堂１０又は参拝堂６０において故人が大切に供養されていることを実感することができる。
【００３１】
図１７は、参拝ブース７２の外観を示す。参拝ブース７２には、供物や供花などを供えることが可能な棚と、故人の写真や戒名などを表示するためのモニター７３が設けられている。参拝者がモニター７３において、参拝する故人の俗名、戒名、識別情報などを入力すると、図示しない管理システムが、故人の情報を格納したデータベースを検索し、故人の写真や戒名などの情報を記憶装置から読み出してモニター７３に表示する。これらの情報は、参拝堂６０の利用者が参拝堂６０の管理主体と契約するときなどに、利用者から取得し、予め管理システムに登録される。
【００３２】
図１８は、参拝ブース７２のモニター７３に表示される画面の例を示す。モニター７３には、故人の写真、戒名、俗名、行年、没年月日が表示される。参拝ブース７２のモニター７２に、故人の思い出の映像などを再生表示してもよいし、参拝ブース７２にスピーカーを設け、映像とともに音声を再生することができるようにしてもよい。
【００３３】
合祀法要室８０の地下に設けられたピットに、合祀された遺骨を保管するための容器が設けられ、合祀墓とされる。地下のピットへの配管孔８２の上に合祀ブース８１が設けられ、配管孔８２の下に容器が設けられる。合祀墓に遺骨を合祀するための法要において、粉骨された遺骨が担当者又は参列者により合祀ブース８１から投入されると、配管孔８２を介して地下の容器に合祀される。これにより、配管のメンテナンスや湿度調整などのために建築物に一般的に設けられる地下のピットを有効に活用して、合祀された遺骨を保管することができる。また、個別の墓を設けずに遺骨を合祀する場合であっても、納骨の場合と同様に法要を執り行うことで、故人の関係者や参列者の満足感を高めることができる。
【００３４】
以上、本発明を実施例をもとに説明した。この実施例は例示であり、その各構成要素や各処理プロセスの組合せにいろいろな変形が可能なこと、またそうした変形例も本発明の範囲にあることは当業者に理解されるところである。
【符号の説明】
【００３５】
１０ 納骨堂
２０ 保管室
２１ 収納棚
２２ レール
２３ 保管室側厨子台
３０ 法要室
３１ 出入口
３２ 座席
３３ 法要室側厨子台
３４ カウンター
３５ 焼香台
３６ 折り畳み機構
３７ 廊下
４０ 壁
４１ 扉
４２ 台車
４３ 溝
４４ キャスター
４５ 懸架機構
４６ 摺動機構
５０ 厨子
５１ 銘板
６０ 参拝堂
７０ 参拝室
７１ 本尊
７２ 参拝ブース
７３ モニター
８０ 合祀法要室
８１ 合祀ブース
８２ 配管孔
【図１】
2019049158.tif 000003
【図２】
2019049158.tif 000004
【図３】
2019049158.tif 000005
【図４】
2019049158.tif 000006
【図５】
2019049158.tif 000007
【図６】
2019049158.tif 000008
【図７】
2019049158.tif 000009
【図８】
2019049158.tif 000010
【図９】
2019049158.tif 000011
【図１０】
2019049158.tif 000012
【図１１】
2019049158.tif 000013
【図１２】
2019049158.tif 000014
【図１３】
2019049158.tif 000015
【図１４】
2019049158.tif 000016
【図１５】
2019049158.tif 000017
【図１６】
2019049158.tif 000018
【図１７】
2019049158.tif 000019
【図１８】
2019049158.tif 000020